(57)【要約】【課題】本発明の目的は、電子機器の使用態様や設置位置によって蓋体が開閉不能となることを回避することである。【解決手段】本発明の実施の形態に係る監視用カメラは、開口部１ａが形成されているカメラ本体１と、開口部１ａを開閉するための蓋体２とを具える。カメラ本体１と蓋体２には、カメラ本体１に蓋体２を係脱可能に取り付けるための係合機構３が設けられており、蓋体２に対して所定の角度範囲θ内の方向の操作力を加えることにより、係合機構３の係合を解除することができる。カメラ本体１と蓋体２には、カメラ本体１に蓋体２が取り付けられた状態で互いに摺接する一対の摺接面５１ａ，５２ａが、係合機構３とは異なる位置に形成されている。そして、少なくとも一方の摺接面は所定の角度範囲θ内の所定の方向９３に沿って延び、蓋体２の摺接面５２ａは、カメラ本体１の摺接面５１ａに沿って所定の方向９３に摺動することが可能である。【選択図】図５
2010034941.tif 000002
【特許請求の範囲】
【請求項１】
開口部が形成されている本体と、該本体の開口部を開閉するための蓋体とを具え、前記本体と前記蓋体には、該本体に該蓋体を係脱可能に取り付けるための係合機構が設けられており、該本体に取り付けられた該蓋体に対して所定の角度範囲内の方向の操作力を加えることにより、前記係合機構の係合を解除することができる電子機器において、
前記本体と前記蓋体には、該本体に該蓋体が取り付けられた状態で互いに摺接する一対の摺接面が、前記係合機構とは異なる位置に形成されており、少なくとも一方の摺接面は前記所定の角度範囲内の所定の方向に沿って延び、前記蓋体の摺接面は、前記本体の摺接面に沿って前記所定の方向に摺動することが可能であることを特徴とする、電子機器。
【請求項２】
前記本体と前記蓋体には、該本体に該蓋体を係止するための係止機構が設けられており、該係止機構の係止位置を支点として該蓋体を回動させることが可能であると共に、該蓋体の回動操作により、該蓋体に対して前記所定の角度範囲内の方向の操作力が加わる、請求項１に記載の電子機器。
【請求項３】
前記開口部は、前記本体の表面のうち、互いに異なる方向を向いた２つの面領域に跨って形成されており、前記蓋体は、該２つの面領域のうち一方の面領域に沿う第１蓋体部と、他方の面領域に沿う第２蓋体部とを有し、
前記第１蓋体部の表面には、前記係止位置を支点とした前記蓋体の回動操作を行うための回動操作部が形成されていると共に、前記一対の摺動面は、前記蓋体に対して該第２蓋体部の表面に沿う方向の操作力が加わったときに、前記蓋体の摺接面が前記本体の摺接面に沿って前記所定の方向に摺動するように、前記本体及び前記蓋体に形成されている、請求項２に記載の電子機器。
【請求項４】
前記蓋体は、繋着部材によって前記本体に繋着されており、該繋着部材による繋着状態のまま、前記蓋体の該本体への係脱が可能である、請求項１乃至請求項３のいずれか１つに記載の電子機器。
【発明の詳細な説明】
【技術分野】
【０００１】
本発明は、監視用カメラなどの電子機器に関し、特に該電子機器に設けられた蓋体の取付構造に関する。
【背景技術】
【０００２】
例えば監視用カメラ装置は、カメラ本体と、カメラ本体に対して脱着可能に取り付けることが可能なハードディスクドライブとによって構成されている。そして、カメラ本体には開口部が形成されており、開口部の内側には、監視用カメラ装置の設定や操作を行うための操作部などが設置されている。そして、カメラ本体には、前記開口部を開閉するための蓋体が取り付けられている。該蓋体には、スライド開閉式の蓋体や、回転開閉式の蓋体（特許文献１参照）が採用されている。
【特許文献１】特開２００６−３５００５５号公報
【発明の開示】
【発明が解決しようとする課題】
【０００３】
しかし、スライド開閉式の蓋体や回転開閉式の蓋体は、開閉方向が１つの方向に固定されている。すなわち、スライド開閉式の蓋体であれば、所定の方向に沿って進退させることによってのみ、蓋体を開閉することができる。また、回転開閉式の蓋体であれば、所定の方向に沿って回転させることによってのみ、蓋体を開閉することができる。
【０００４】
このため、カメラ本体にハードディスクドライブを取り付けた場合に、該ハードディスクドライブの取付け位置によっては、蓋体の開閉が困難になる可能性がある。ハードディスクドライブの取付けによって蓋体の開閉ができなくなると、ハードディスクドライブを取り付けた状態では監視カメラ装置の設定を実行することができず、設置ごとにハードディスクドライブを取り外さなければならず、不便である。
【０００５】
上述した監視用カメラ装置に限らず、２つのユニットから構成された電子機器においては、２つのユニットを合体させたことで蓋体の開閉が困難になるという問題が生じ得る。この場合にも、上述したのと同様に設定ごとにユニットを分離しなければならず、不便である。
【０００６】
また、１つのユニットで構成された電子機器であっても、その設置場所などによっては、蓋体の開閉が困難になる可能性がある。この場合には、設定ごとに、蓋体の開閉が可能な位置まで電子機器を移動させなければならず、不便である。
【０００７】
そこで、本発明の目的は、電子機器の使用態様や設置位置によって蓋体が開閉不能となることを回避することである。
【課題を解決するための手段】
【０００８】
本発明に係る電子機器は、開口部（１ａ）が形成されている本体（１）と、該本体（１）の開口部（１ａ）を開閉するための蓋体（２）とを具え、前記本体（１）と前記蓋体（２）には、該本体（１）に該蓋体（２）を係脱可能に取り付けるための係合機構（３）が設けられており、該本体（１）に取り付けられた該蓋体（２）に対して所定の角度範囲（θ）内の方向の操作力を加えることにより、前記係合機構（３）の係合を解除することができる。かかる電子機器において、前記本体（１）と前記蓋体（２）には、該本体（１）に該蓋体（２）が取り付けられた状態で互いに摺接する一対の摺接面（５１ａ，５２ａ）が、前記係合機構（３）とは異なる位置に形成されており、少なくとも一方の摺接面は前記所定の角度範囲（θ）内の所定の方向（９３）に沿って延び、前記蓋体（２）の摺接面（５２ａ）は、前記本体（１）の摺接面（５１ａ）に沿って前記所定の方向（９３）に摺動することが可能である。
【０００９】
上記電子機器によれば、何らかの事情によって、本体に取り付けられた蓋体に対して所定の角度範囲内の方向の操作力を直接加えることができず、蓋方向とは異なる方向の操作力を加えざるを得ない場合であっても、該操作力の作用により、本体の摺接面に沿って蓋体の摺接面を摺動させる方向の分力、すなわち所定の方向の分力が発生し、該分力によって係合機構による本体と蓋体との係合が解除されることとなる。この結果、蓋体が開き、若しくは本体から蓋体が取り外される。
【００１０】
上記電子機器の具体的な態様において、前記本体（１）と前記蓋体（２）には、該本体（１）に該蓋体（２）を係止するための係止機構（４）が設けられており、該係止機構（４）の係止位置（Ｒ１）を支点として該蓋体（２）を回動させることが可能であると共に、該蓋体（２）の回動操作により、該蓋体（２）に対して前記所定の角度範囲（θ）内の方向（９２）の操作力が加わる。
【００１１】
上記具体的な態様によれば、係止機構の係止位置を支点とした蓋体の回動操作により、本体に取り付けられた蓋体に対して所定の角度範囲内の方向の操作力が加わるので、係合機構の係合は解除され、以って蓋体が開かれ、若しくは本体から蓋体が取り外される。よって、回動操作による蓋体の開閉と、摺接面を利用した蓋体の開閉とを選択的に実行することが可能となる。
【００１２】
より具体的には、前記開口部（１ａ）は、前記本体（１）の表面のうち、互いに異なる方向を向いた２つの面領域（１３１，１３２）に跨って形成されており、前記蓋体（２）は、該２つの面領域（１３１，１３２）のうち一方の面領域（１３１）に沿う第１蓋体部（２１）と、他方の面領域（１３２）に沿う第２蓋体部（２２）とを有する。そして、前記第１蓋体部（２１）の表面には、前記係止位置（Ｒ１）を支点とした前記蓋体（２）の回動操作を行うための回動操作部（２１１）が形成されていると共に、前記一対の摺動面（５１ａ，５２ａ）は、前記蓋体（２）に対して該第２蓋体部（２２）の表面に沿う方向（９４）の操作力が加わったときに、前記蓋体（２）の摺接面（５２ａ）が前記本体（１）の摺接面（５１ａ）に沿って前記所定の方向（９３）に摺動するように、前記本体（１）及び前記蓋体（２）に形成されている。
【００１３】
これにより、蓋体の回動操作による蓋体の開閉が可能であると共に、何らかの事情によって、回動操作部が隠れて回動操作による蓋体の開閉が不能になった場合でも、一対の摺接面を利用することにより、すなわち第２蓋体部の表面に沿う方向の操作力を加えて所定の方向の分力を発生させることにより、蓋体を開くことができる。
【００１４】
上記電子機器において、前記蓋体（２）は、繋着部材（７）によって前記本体（１）に繋着されており、該繋着部材（７）による繋着状態のまま、前記蓋体（２）の該本体（１）への係脱が可能であることが好ましい。これにより、本体からの蓋体の脱落や蓋体の紛失が防止される。
【発明の効果】
【００１５】
本発明に係る電子機器によれば、電子機器の使用態様や設置位置によって蓋体が開閉不能となることを回避することができる。
【発明を実施するための最良の形態】
【００１６】
以下、本発明を監視用カメラ装置に実施した形態につき、図面に沿って具体的に説明する。
【００１７】
本実施の形態に係る監視用カメラ装置は、図１に示される様に、カメラ本体１とハードディスクドライブ６から構成されている。ハードディスクドライブ６は、図１及び図２に示される様に、カメラ本体１に対して脱着可能に取り付けることが可能である。カメラ本体１にハードディスクドライブ６を取り付けることにより、カメラ本体１で撮影した画像をハードディスクドライブ６に記録することが可能となる。
【００１８】
カメラ本体１は、図３に示される様に、画像の撮影に必要な撮像機構１１や、監視用カメラ装置の設定や操作を行うための操作部１２などを具えている。カメラ本体１には、図３に示される様に開口部１ａが形成されており、開口部１ａは、互いに異なる方向を向いた２つの面領域、具体的には上面領域１３１と側面領域１３２に跨っている。開口部１ａの内側には、操作部１２が設置されている。
【００１９】
そして、カメラ本体１には、図２及び図３に示される様に、開口部１ａを開閉するための蓋体２が、係脱可能に取り付けられている。蓋体２は、第１蓋体部２１と第２蓋体部２２を有する。第１蓋体部２１及び第２蓋体部２２はそれぞれ、カメラ本体１に蓋体２が取り付けられたときに、上面領域１３１及び側面領域１３２に沿うように構成されている。第１蓋体部２１の表面には、操作溝２１１が形成されている。
【００２０】
カメラ本体１と蓋体２には、図３に示される様に、カメラ本体１に蓋体２を係脱可能に取り付けるための係合機構３が設けられている。具体的には係合機構３は、以下のような構成となっている。
【００２１】
すなわち、カメラ本体１には、開口部１ａの上面領域１３１側の位置にて、一対の側壁１４１，１４２が形成されている。該一対の側壁１４１，１４２は、開口部１ａの縁からカメラ本体１の内側へ延びており、互いに対向している。そして、一対の側壁１４１，１４２のそれぞれには、係合穴３１１，３１２が設けられている。
【００２２】
また、蓋体２には、図４に示される様に係合部３２１，３２２が形成されている。具体的には係合部３２１は、可撓性を有し、第１蓋体部２１と略平行に蓋体２の裏面２ｂから延びている。そして、係合部３２１の先端部には、突起部３２１ａが形成されており、該突起部３２１ａは、カメラ本体１に蓋体２が取り付けられたときに、係合穴３１１に嵌って引っ掛かる。しかも、突起部３２１ａには、突起部３２１ａの先端からハの字状に拡がった一対のテーパ面が形成されており、該一対のテーパ面はそれぞれ、係合部３２１の先端側及び基端側に位置する。
【００２３】
同様に、係合部３２２は、可撓性を有し、蓋体２の裏面２ｂから突出している。そして、係合部３２２の先端には、係合穴３１２に嵌って引っ掛かる突起部３２２ａが形成されている。しかも、突起部３２２ａには、突起部３２２ａの先端からハの字状に拡がった一対のテーパ面が形成されており、該一対のテーパ面はそれぞれ、係合部３２２の先端側及び基端側に位置する。
【００２４】
係合機構３によれば、蓋体２は、次にようにしてカメラ本体１に取り付けられる。まず、カメラ本体１に蓋体２を取り付けるようとすると、係合部３２１，３２２の突起部３２１ａ，３２２ａは開口部１ａの縁に当たってしまう。しかし、蓋体２をカメラ本体１に向けて押し込むことにより、突起部３２１ａ，３２２ａは、係合部３２１，３２２を撓ませながら開口部１ａの内側へ入り込む。このとき、突起部３２１ａ，３２２ａには、係合部３２１，３２２の先端側の位置にテーパ面が形成されているので、突起部１ａは開口部１ａの内側に入りやすい。開口部１ａの内側に入り込んだ突起部３２１ａ，３２２ａはそれぞれ、側壁１４１，１４２に当接すると共に、係合部３２１，３２２の撓みによって生じた弾性力が側壁１４１，１４２に向けて加えられる。
【００２５】
そして、蓋体２をカメラ本体１に向けて更に押し込むことにより、突起部３２１ａ，３２２ａはそれぞれ、係合穴３１１，３１２に到達すると共に、上記弾性力によって係合穴３１１，３１２に嵌る。これにより、突起部３２１ａ，３２２ａはそれぞれ、係合穴３１１，３１２に引っ掛かり（図５参照）、以って蓋体２はカメラ本体１に係合されることとなる。
【００２６】
他方、蓋体２は、次のようにして開かれ、若しくはカメラ本体１から取り外される。まず、図５に示される様に蓋体２に対して、係合部３２１，３２２の先端から基端への方向９１の操作力を加えると、突起部３２１ａ，３２２ａは係合穴３１１，３１２の縁に当たってしまう。しかし、突起部３２１ａ，３２２ａには、係合部３２１，３２２の基端側の位置にテーパ面が形成されているので、突起部３２１ａ，３２２ａは、係合部３２１，３２２を撓ませながら係合穴３１１，３１２から抜け出す。これにより、係合機構３によるカメラ本体１と蓋体２との係合が解除され、以って蓋体２は開かれ、若しくはカメラ本体１から取り外される。
【００２７】
突起部３２１ａ，３２２ａには、係合部３２１，３２２の基端側の位置にテーパ面が形成されているので、方向９１とは異なる方向の操作力を加えた場合であっても、該方向が所定の角度範囲θ内であれば、突起部３２１ａ，３２２ａは係合穴３１１，３１２から抜け出すことができる。すなわち、本実施の形態に係る監視用カメラでは、所定の角度範囲θ内の方向の操作力を加えることにより、係合機構３の係合を解除することができる。
【００２８】
カメラ本体１と蓋体２には、図５に示される様に、カメラ本体１に蓋体２を回動可能に係止するための係止機構４が設けられている。具体的には係止機構４は、次のような構成となっている。すなわち、蓋体２には、図４及び図５に示される様に、開口部１ａの縁１３２ａに引っ掛ける（係止する）ための係止部４２が、第２蓋体部２２の第１蓋体部２１とは反対側の端部２２ａに形成されている。そして、カメラ本体１には係止凹部４１が、開口部１ａの縁１３２ａ近傍の位置に形成されている。係止凹部４１は、縁１３２ａに引っ掛かった係止部４２を収納することによって、係止部４２がカメラ本体１の内側にずれ込むことを防止している。
【００２９】
蓋体２をカメラ本体１に取り付ける場合には、開口部１ａの縁１３２ａに係止部４２を引っ掛けながら（係止しながら）、係止機構４によって蓋体２をカメラ本体１に係合する。これにより、カメラ本体１に取り付けられた蓋体２は、開口部１ａからずれにくくなる。尚、開口部１ａからの蓋体２のずれを防止するという観点からは、係合機構３は、係止機構４から離れて配備されることが好ましい。具体的に本実施の形態に係る監視用カメラでは、係合機構３は、図５に示される様に、第１蓋体部２１近傍の位置に配備されている。
【００３０】
係止機構４によれば、図６に示される様に、係止部４２が係止される位置（係止位置）Ｒ１を支点とした蓋体２の回動が可能となる。実際に監視用カメラの操作者が蓋体２の回動操作を行う場合には、上述した操作溝２１１を用いる。すなわち、操作者は、操作溝２１１に指を掛けることによって、蓋体部２に対して方向９１の操作力を加える。該操作力によって蓋体２が方向９１へ移動しようとすると、係止機構４の係止部４２は開口部１ａの縁１３２ａに引っ掛かるので、蓋体２は係止位置Ｒ１を支点として回動しようとする。よって、加えられた方向９１の操作力は、蓋体２を回動させる方向９２の力（分力）と、係止位置Ｒ１へと向かう方向９２１の力（分力）とに分解される。
【００３１】
そして、方向９２の分力により、係合機構３の係合は解除される。また、方向９２１の分力により、係止部４２は係止位置Ｒ１の方へ押されるので、係合機構３の係合が解除された後も、係止機構４による係止位置Ｒ１での係止は維持されたままとなる。よって、蓋体２は、回動しながら開くこととなる。尚、操作溝２１１を用いて蓋体２の回動操作が行われることに鑑みれば、操作溝２１１は、回動操作部と把握することができる。
【００３２】
図５に示される様に、支点となる係止位置Ｒ１において、蓋体２の縁２２ａと開口部１ａの縁１３２ａとの間には、カメラ本体１の外側に開口した干渉防止溝２３が形成されている。このように干渉防止溝２３を形成することにより、図６に示される様に蓋体２の回動時において、蓋体２の縁２２ａと開口部１ａの縁１３２ａとの干渉が防止される。
【００３３】
カメラ本体１と蓋体２には、図５に示される様に、カメラ本体１に蓋体２が取り付けられた状態で互いに摺接する一対の摺接面５１ａ，５２ａが、係合機構３とは異なる位置に形成されている。一対の摺接面５１ａ，５２ａはいずれも、所定の角度範囲θ内の所定の方向９３に沿って延びている。そして、蓋体２の摺接面５２ａは、図７に示される様に、カメラ本体１の摺接面５２ａに沿って所定の方向９３に摺動することが可能である。
【００３４】
具体的には、カメラ本体１と蓋体２には、図３乃至図５に示される様に、互いに嵌合することが可能な凹部５１と凸部５２が形成されている。そして、一対の摺接面５１ａ，５２ａはそれぞれ、凹部５１の内面及び凸部５２の側面のうち、干渉防止溝２３とは反対側に位置する部分に形成されている。また、一対の摺接面５１ａ，５２ａが延びている所定の方向９３は、第２蓋体部２２の表面に沿う方向９４に対して斜めに傾けられている。
【００３５】
よって、摺接面５１ａ，５２ａを利用することにより、上述した回動操作だけでなく、次のような操作によっても、蓋体２を開き、若しくはカメラ本体１から蓋体２を取り外すことができる。すなわち、カメラ本体１に蓋体２が取り付けられた状態（図５）のときに、干渉防止溝２３を利用して、具体的には操作者が干渉防止溝２３に爪を引っ掛けて、蓋体２に対して方向９４の操作力を加える。該方向９４は、係合機構３の係合を解除することができる所定の角度範囲θ外の方向であるが、該方向９４の操作力の作用により所定の方向９３の分力が、一対の摺接面５１ａ，５２ａにおいて発生する。これは、一対の摺接面５１ａ，５２ａが、方向９４に対して斜めに傾いた所定の方向９３に沿って延びていると共に、上記方向９４の操作力によって、摺接面５２ａは摺接面５１ａに押し当てられるからである。
【００３６】
これにより、蓋体２の摺接面５２ａは、カメラ本体１の摺接面５１ａに沿って所定の方向９３へ摺動する。所定の方向９３は、係合機構３の係合を解除することができる所定の角度範囲θ内の方向であるので、摺接面５２ａの摺動により、図８及び図９に示される様に、係合機構３の突起部３２１ａ，３２２ａは、係合穴３１１，３１２から抜け出す。よって、係合機構３によるカメラ本体１と蓋体２との係合が解除される。
【００３７】
このように、蓋体２に加えた操作力が所定の角度範囲θ外の方向９４の操作力であっても、蓋体２をカメラ本体１から取り外すことができる。
【００３８】
本実施の形態に係る監視用カメラにおいては、蓋体２は、図３に示される様に、カメラ本体１への係脱が可能な状態のまま、繋着部材７によってカメラ本体１に繋着されることが好ましい。これにより、蓋体２のカメラ本体１からの脱落や蓋体２の紛失が防止される。尚、本実施の形態に係る監視用カメラにおいては、繋着部材７としてテープ状のものが用いられている。
【００３９】
上述した監視用カメラによれば、何らかの事情、具体的には図１に示される様にカメラ本体１にハードディスクドライブ６を取り付けることで、操作溝２１１が隠れてしまうという事情によって、カメラ本体１に取り付けられた蓋体２に対して所定の角度範囲θ内の方向９２の操作力を直接加えることができず、該方向９２とは異なる方向９４の操作力を加えざるを得ない場合であっても、上述したように、該操作力の作用によって一対の摺接面５１ａ，５２ａにおいて所定の方向９３の分力が発生するので、図１０に示される様に、係合機構３によるカメラ本体１と蓋体２との係合が解除される。この結果、図１１に示される様に蓋体２が開き、若しくはカメラ本体１から蓋体２が取り外される。
【００４０】
また、上述した監視用カメラでは、カメラ本体１にハードディスクドライブ６が取り付けられていない態様においては（図２及び図３）、係止機構４の係止位置Ｒ１を支点とした蓋体２の回動操作によって、係合機構３の係合を解除することができ、以って蓋体２を開き、若しくはカメラ本体１から蓋体２を取り外すことができる。
【００４１】
よって、監視用カメラの使用態様に応じて、回動操作による蓋体２の開閉と、摺接面５１ａ，５２ａを利用した蓋体２の開閉とを選択的に実行することができ、以って蓋体２が開閉不能となることが回避される。また、上述した監視用カメラによれば、その設置位置によって蓋体２の回動操作が不能となった場合でも、摺接面５１ａ，５２ａを利用することによって蓋体２を開くことができる。
【００４２】
尚、本発明の各部構成は上記実施の形態に限らず、特許請求の範囲に記載の技術的範囲内で種々の変形が可能である。上述した監視用カメラでは、摺接面５１ａ，５２ａの両方が所定の角度範囲θ内の所定の方向９３に沿って延びていたが、これに限られるものではない。例えば、図１２に示される様に、摺接面５１ａだけが所定の方向９３に沿って延びた態様であってもよいし、図１３に示される様に、摺接面５２ａだけが所定の方向９３に沿って延びた態様であってもよい。いずれの態様であっても、上述した監視用カメラと同様に、第２蓋体部２２の表面に沿う方向９４の操作力を加えることにより、所定の方向９３の分力が発生する。
【００４３】
また、係合機構３、係止機構４、及び繋着部材７についても、上述したものに限らず、種々のものが採用できる。そして、上述した技術は、監視用カメラに限らず、ビデオカメラなどの種々の電子機器に適用可能である。
【図面の簡単な説明】
【００４４】
【図１】本発明の実施の形態に係る監視用カメラの斜視図である。
【図２】監視用カメラのカメラ本体の斜視図である。
【図３】蓋体２が開かれたカメラ本体の斜視図である。
【図４】蓋体２を示した斜視図である。
【図５】図２に示される線V‐Vに沿う断面図である。
【図６】回動操作により蓋体が回動したカメラ本体の断面図である。
【図７】摺動過程にある摺動面及びその近傍の拡大図である。
【図８】摺動面を利用して蓋体の係合が解除されたカメラ本体の断面図である。
【図９】図８に係るカメラ本体の要部を示す拡大図である。
【図１０】摺動面を利用して蓋体の係合が解除されたカメラ本体の斜視図である。
【図１１】蓋体が開かれたカメラ本体の斜視図である。
【図１２】摺動面の変形例を示した断面図である。
【図１３】摺動面の変形例を示した断面図である。
【符号の説明】
【００４５】
１  カメラ本体
１３１  上面領域
１３２  側面領域
１ａ  開口部
２  蓋体
２１  第１蓋体部
２１１  操作溝（回動操作部）
２２  第２蓋体部
３  係合機構
４  係止機構
５１ａ  カメラ本体の摺接面
５２ａ  蓋体の摺接面
７  繋着部材
９３  所定の方向
θ  所定の角度範囲
Ｒ１  係止位置
【図１】
2010034941.tif 000003
【図２】
2010034941.tif 000004
【図３】
2010034941.tif 000005
【図４】
2010034941.tif 000006
【図５】
2010034941.tif 000007
【図６】
2010034941.tif 000008
【図７】
2010034941.tif 000009
【図８】
2010034941.tif 000010
【図９】
2010034941.tif 000011
【図１０】
2010034941.tif 000012
【図１１】
2010034941.tif 000013
【図１２】
2010034941.tif 000014
【図１３】
2010034941.tif 000015